(57)【要約】【課題】建物の躯体に固定されたファスナーを室外側の枠体と室内側の枠体とで共用して、カーテンウォールと躯体の連結部分の構造を簡単にする。【解決手段】カーテンウォール１０は、室内外方向の一方側に配置された第１枠体２１と、室内外方向の他方側に配置された第２枠体４１を備えている。ファスナー６０は、建物１１の躯体１６に固定されている。第１枠体２１は、ファスナー６０に取り付けられる第１ブラケット３０を有している。第２枠体４１は、第１ブラケット３０に取り付けられる第２ブラケット５０を有している。【選択図】  図３
2020111991.tif 000002
【特許請求の範囲】
【請求項１】
室内外方向の一方側に配置された第１枠体と、室内外方向の他方側に配置された第２枠体と、を備えたカーテンウォールであって、
前記第１枠体は、建物の躯体に固定されたファスナーに取り付けられる第１ブラケットを有し、
前記第２枠体は、前記第１ブラケットに取り付けられる第２ブラケットを有するカーテンウォール。
【請求項２】
請求項１に記載されたカーテンウォールにおいて、
前記ファスナーは、前記建物の躯体の室内側面に固定されるカーテンウォール。
【請求項３】
請求項１又は２に記載されたカーテンウォールにおいて、
前記第１ブラケットは、室内外方向に沿って突出して前記ファスナーの室内外方向に沿う取付部に取り付けられる突出部を有し、
前記第２ブラケットは、前記突出部に取り付けられたカーテンウォール。
【請求項４】
請求項１ないし３のいずれかに記載されたカーテンウォールにおいて、
前記第１ブラケットは、前記第２枠体の下側に配置され、
前記第２ブラケットは、前記第２枠体の下側で前記第１ブラケットに取り付けられたカーテンウォール。
【請求項５】
請求項１ないし４のいずれかに記載されたカーテンウォールにおいて、
前記第１ブラケットは、前記ファスナーに形成された長孔と交差して配置された長孔を有し、前記ファスナーの長孔と前記第１ブラケットの長孔を貫通する取付部材により、前記ファスナーに取り付けられたカーテンウォール。
【請求項６】
室内外方向の一方側に配置された第１枠体と、室内外方向の他方側に配置された第２枠体と、を備えたカーテンウォールの施工方法であって、
建物の躯体に固定されたファスナーに前記第１枠体の第１ブラケットを取り付け、
前記第１ブラケットの取付孔に連結した調整治具により、前記ファスナーに対する前記第１ブラケットの位置を調整し、
前記第１ブラケットの取付孔から前記調整治具を取り外して、前記第１ブラケットの取付孔に前記第２枠体の第２ブラケットを取り付けるカーテンウォールの施工方法。
【発明の詳細な説明】
【技術分野】
【０００１】
本発明は、室内外方向の一方側と他方側に枠体を備えたカーテンウォール、及び、カーテンウォールの施工方法に関する。
【背景技術】
【０００２】
カーテンウォールは、建物の壁部に用いられており、建物の躯体に連結されて、建物の壁部に設置される。また、複数のカーテンウォールユニットを備えたカーテンウォールでは、カーテンウォールユニットの枠体にブラケットが固定されて、建物の躯体に固定されたファスナーに枠体のブラケットが取り付けられる。ブラケットをファスナーに取り付けるときには、枠体の位置を調整するため、ファスナーに対するブラケットの位置を調整する必要がある。そこで、従来、支持金物（ブラケット）に取り付けたレベル調整金物のボルトにより、金属枠体（枠体）の上下方向の位置を調整するカーテンウォールユニットが知られている（特許文献１参照）。
【０００３】
特許文献１に記載された従来のカーテンウォールユニットでは、レベル調整金物のボルトを躯体側取付金物（ファスナー）に当接し、ボルトを回転することで、躯体側取付金物に対する支持金物の上下方向の位置を調整する。その状態で、支持金物を躯体側取付金物に取り付けて、金属枠体を躯体に連結する。ところが、従来のカーテンウォールユニットでは、金属枠体の複数の支持金物のそれぞれにレベル調整金物を取り付ける必要がある。そのため、金属枠体と躯体の連結部分の構造が複雑になる。また、室内外方向の一方側と他方側に枠体を備えたカーテンウォールでは、室外側の枠体と室内側の枠体の各ブラケットに対応してファスナーを設ける必要があり、カーテンウォールと躯体の連結部分の構造が更に複雑になる。
【先行技術文献】
【特許文献】
【０００４】
【特許文献１】登録実用新案第３００１６０４号公報
【発明の概要】
【発明が解決しようとする課題】
【０００５】
本発明は、前記従来の問題に鑑みなされたもので、その目的は、建物の躯体に固定されたファスナーを室外側の枠体と室内側の枠体とで共用して、カーテンウォールと躯体の連結部分の構造を簡単にすることである。
【課題を解決するための手段】
【０００６】
本発明は、室内外方向の一方側に配置された第１枠体と、室内外方向の他方側に配置された第２枠体と、を備えたカーテンウォールであって、前記第１枠体は、建物の躯体に固定されたファスナーに取り付けられる第１ブラケットを有し、前記第２枠体は、前記第１ブラケットに取り付けられる第２ブラケットを有するカーテンウォールである。
【発明の効果】
【０００７】
本発明によれば、建物の躯体に固定されたファスナーを室外側の枠体と室内側の枠体とで共用でき、カーテンウォールと躯体の連結部分の構造を簡単にすることができる。
【図面の簡単な説明】
【０００８】
【図１】本実施形態のカーテンウォールを示す正面図である。
【図２】本実施形態の第１カーテンウォールユニットを示す正面図である。
【図３】本実施形態のカーテンウォールの縦断面図である。
【図４】本実施形態のカーテンウォールの横断面図である。
【図５】本実施形態のカーテンウォールのファスナーを示す図である。
【図６】本実施形態のカーテンウォールの第１ブラケットを示す図である。
【図７】本実施形態のカーテンウォールの第２ブラケットを示す図である。
【図８】本実施形態のカーテンウォールと躯体の連結部分を示す図である。
【図９】本実施形態のカーテンウォールと躯体の連結部分を示す図である。
【図１０】本実施形態の第１ブラケットの位置を調整する調整治具を示す図である。
【発明を実施するための形態】
【０００９】
本発明のカーテンウォール、及び、カーテンウォールの施工方法の一実施形態について、図面を参照して説明する。
本実施形態のカーテンウォールは、室内外方向の一方側と他方側に枠体を備えた２重構造のカーテンウォールであり、本実施形態のカーテンウォールの施工方法により施工される。カーテンウォールは、建物の壁部に用いられて、建物の室内（屋内）と室外（屋外）の間に設置される。
【００１０】
図１は、本実施形態のカーテンウォール１０を示す正面図であり、建物１１の壁部１２に設けられたカーテンウォール１０の一部を室外側からみて示している。カーテンウォール１０を室外側又は室内側からみたときに、上下となる方向が上下方向であり、左右となる方向が左右方向である。図１では、上下方向は垂直方向であり、左右方向は水平方向である。
図示のように、建物１１は、壁部１２に、カーテンウォール１０、複数の壁材１３、及び、開口部１４を備えている。複数の壁材１３は、例えば、ＰＣ板であり、建物の躯体（図示せず）に取り付けられている。開口部１４は、上下方向に離隔した壁材１３の間に形成されている。
【００１１】
カーテンウォール１０は、建物１１の壁部１２に並べて配置された複数のカーテンウォールユニット（第１カーテンウォールユニット１）を備えている。第１カーテンウォールユニット１は、カーテンウォール１０の一部を構成するユニットであり、隣り合う第１カーテンウォールユニット１と組み合わされている。カーテンウォール１０及び第１カーテンウォールユニット１は、建物１１の開口部１４に配置されて、建物１１の壁部１２に設置されている。ここでは、カーテンウォール１０は、連窓であり、複数の第１カーテンウォールユニット１は、１つの開口部１４で左右方向に並べて設置されている。
【００１２】
図２は、本実施形態の第１カーテンウォールユニット１を示す正面図であり、図１に示すカーテンウォール１０の１つの第１カーテンウォールユニット１を示している。
図示のように、第１カーテンウォールユニット１は、パネル体（第１パネル体２０）と、第１パネル体２０を囲む枠体（第１枠体２１）と、第１枠体２１に固定された複数のブラケット２２、３０を備えている。第１パネル体２０は、第１枠体２１に取り付けられたパネル状部材であり、第１枠体２１の開口部２３に配置されている。
【００１３】
第１パネル体２０は、例えば、複層ガラスであり、第１枠体２１に取り付けられて、第１枠体２１に保持されている。第１枠体２１の方形状の開口部２３は、方形状の第１パネル体２０により閉鎖される。第１枠体２１は、開口部２３を形成する開口枠であり、枠組みされた４つの枠２４〜２６（上枠２４、下枠２５、一対の縦枠２６）を有している。枠２４〜２６は、例えば、押出成形により形成された形材であり、それぞれ第１パネル体２０の縁部に沿って配置されている。
【００１４】
４つの枠２４〜２６が方形状に組み合わされて、枠２４〜２６の長手方向の端部同士が接続されている。上枠２４と下枠２５は、横方向（左右方向）に延びる一対の横枠であり、一対の縦枠２６の間に設けられている。一対の縦枠２６は、上枠２４の端部と下枠２５の端部の間で縦方向（上下方向）に延びる。４つの枠２４〜２６により、方形状の第１枠体２１が形成されるとともに、第１枠体２１の内側に開口部２３が形成されている。
【００１５】
ブラケット２２は、第１枠体２１の上部に固定された上ブラケットであり、第１枠体２１から上側に突出している。ブラケット３０は、第１枠体２１の下部に固定された下ブラケットであり、第１枠体２１から下側に突出している。ここでは、２つのブラケット２２が、上枠２４の長手方向に離隔して設けられて、上枠２４に固定されている。また、２つのブラケット３０が、下枠２５の長手方向に離隔して設けられて、下枠２５に固定されている。４つのブラケット２２、３０は、それぞれ建物１１の躯体に連結され、第１枠体２１及び第１カーテンウォールユニット１は、４つのブラケット２２、３０により、建物１１の躯体に連結される。
【００１６】
図３は、本実施形態のカーテンウォール１０の縦断面図であり、図１のＸ１−Ｘ１線で切断したカーテンウォール１０と建物１１を示している。図４は、本実施形態のカーテンウォール１０の横断面図であり、図１のＸ２−Ｘ２線で切断したカーテンウォール１０を示している。図４では、左右方向に隣り合うカーテンウォールユニット１、２の縦枠２６、４６側の部分を示している。図３、図４に示す室内外方向は、カーテンウォール１０を室外側又は室内側からみたときのカーテンウォール１０の奥行方向である。
【００１７】
図示のように、カーテンウォール１０は、２重構造に形成されたダブルスキンカーテンウォールであり、室内外方向の一方側に配置されたカーテンウォールユニット（第１カーテンウォールユニット１）と、室内外方向の他方側に配置されたカーテンウォールユニット（第２カーテンウォールユニット２）を備えている。第１カーテンウォールユニット１は、室内外方向の一方側カーテンウォールユニットであり、カーテンウォール１０の室内外方向の一方側に並べて配置されている。第２カーテンウォールユニット２は、室内外方向の他方側カーテンウォールユニットであり、カーテンウォール１０の室内外方向の他方側に並べて配置されている。第１カーテンウォールユニット１と第２カーテンウォールユニット２は、室内外方向において互いに対向して配置されている。
【００１８】
ここでは、室内外方向の一方側は、室外側であり、室内外方向の他方側は、室内側である。従って、第１カーテンウォールユニット１は、室外側カーテンウォールユニットであり、第２カーテンウォールユニット２は、室内側カーテンウォールユニットである。また、第２カーテンウォールユニット２は、図２に示す第１カーテンウォールユニット１と同様に構成されており、カーテンウォール１０は、建物１１の壁部１２に並べて配置された複数の第２カーテンウォールユニット２を備えている。第２カーテンウォールユニット２は、建物１１の開口部１４に配置されて、建物１１の壁部１２に設置され、隣り合う第２カーテンウォールユニット２と組み合わされている。複数の第２カーテンウォールユニット２は、１つの開口部１４で左右方向に並べて設置されている。
【００１９】
第２カーテンウォールユニット２は、パネル体（第２パネル体４０）と、第２パネル体４０を囲む枠体（第２枠体４１）と、第２枠体４１に固定された複数のブラケット４２、５０を備えている。第２パネル体４０は、第２枠体４１に取り付けられたパネル状部材であり、第２枠体４１の開口部４３に配置されている。また、第２パネル体４０は、例えば、合わせガラスであり、第２枠体４１に取り付けられて、第２枠体４１に保持されている。第２枠体４１の方形状の開口部４３は、方形状の第２パネル体４０により閉鎖される。
【００２０】
第２枠体４１は、開口部４３を形成する開口枠であり、枠組みされた４つの枠４４〜４６（上枠４４、下枠４５、一対の縦枠４６）を有している。枠４４〜４６は、例えば、押出成形により形成された形材であり、それぞれ第２パネル体４０の縁部に沿って配置されている。４つの枠４４〜４６が方形状に組み合わされて、枠４４〜４６の長手方向の端部同士が接続されている。上枠４４と下枠４５は、横方向（左右方向）に延びる一対の横枠であり、一対の縦枠４６の間に設けられている。一対の縦枠４６は、上枠４４の端部と下枠４５の端部の間で縦方向（上下方向）に延びる。４つの枠４４〜４６により、方形状の第２枠体４１が形成されるとともに、第２枠体４１の内側に開口部４３が形成されている。
【００２１】
ブラケット４２は、第２枠体４１の上部に固定された上ブラケットであり（図３参照）、第２枠体４１から上側に突出している。ブラケット５０は、第２枠体４１の下部に固定された下ブラケットであり、第２枠体４１から下側に突出している。ここでは、２つのブラケット４２が、上枠４４の長手方向に離隔して設けられて、上枠４４に固定されている。また、２つのブラケット５０が、下枠４５の長手方向に離隔して設けられて、下枠４５に固定されている。４つのブラケット４２、５０は、それぞれ建物１１の躯体１５、１６に連結され、第２枠体４１及び第２カーテンウォールユニット２は、４つのブラケット４２、５０により、建物１１の躯体１５、１６に連結される。
【００２２】
左右方向に隣り合う２つの第１カーテンウォールユニット１の組み合わせ部分で（図４参照）、２つの第１カーテンウォールユニット１の縦枠２６は、左右方向に隣接して、互いに対向して配置されている。また、左右方向に隣り合う２つの第２カーテンウォールユニット２の組み合わせ部分で、２つの第２カーテンウォールユニット２の縦枠４６は、左右方向に隣接して、互いに対向して配置されている。第２カーテンウォールユニット２の枠４４〜４６は、それぞれ第１カーテンウォールユニット１の枠２４〜２６の室内側に配置される。カーテンウォールユニット１、２は、室内外方向に隣接し、互いのパネル体２０、４０の間に、空気層である空間１９を形成する。
【００２３】
カーテンウォール１０の上側に位置する躯体１５（上躯体）には（図３参照）、ファスナー１７、１８（上ファスナー）が室内外方向に離隔した状態で固定されている。第１カーテンウォールユニット１の上側のブラケット２２は、第１枠体２１の上枠２４から上側に突出して、室外側のファスナー１７（室外側ファスナー）に取り付けられている。第１枠体２１及び第１カーテンウォールユニット１は、ブラケット２２によりファスナー１７に連結されて、ブラケット２２を介して、ファスナー１７により上側から支持される。第２カーテンウォールユニット２の上側のブラケット４２は、第２枠体４１の上枠４４から上側に突出して、室内側のファスナー１８（室内側ファスナー）に取り付けられている。第２枠体４１及び第２カーテンウォールユニット２は、ブラケット４２によりファスナー１８に連結されて、ブラケット４２を介して、ファスナー１８により上側から支持される。
【００２４】
カーテンウォール１０の下側に位置する躯体１６（下躯体）には、ファスナー６０（下ファスナー）が固定されている。第１カーテンウォールユニット１の下側のブラケット３０は、第１枠体２１の下枠２５から下側に突出し、第２カーテンウォールユニット２の下側のブラケット５０は、第２枠体４１の下枠４５から下側に突出している。２つのブラケット３０、５０は、１つのファスナー６０に直接又は間接に取り付けられている。カーテンウォール１０の枠体２１、４１及びカーテンウォールユニット１、２は、共通のファスナー６０により、建物１１の躯体１６に連結されている。以下、カーテンウォール１０の下側におけるカーテンウォール１０と躯体１６の連結部分３の構造について、詳しく説明する。
【００２５】
カーテンウォール１０は、室内外方向において互いに対向する２つの枠体２１、４１を備えている。第１カーテンウォールユニット１の第１枠体２１は、ブラケット３０（第１ブラケット）を有しており、室内外方向の一方側に配置されている。第２カーテンウォールユニット２の第２枠体４１は、ブラケット５０（第２ブラケット）を有しており、室内外方向の他方側に配置されている。ここでは、第１枠体２１は、室外側に配置された室外側枠体（アウターサッシ）である。また、第２枠体４１は、室内側に配置された室内側枠体（インナーサッシ）であり、第１枠体２１の室内側に配置されている。第１枠体２１と第２枠体４１は、室内外方向に隣接している。
【００２６】
ファスナー６０は、建物１１の躯体１６に固定された支持部材であり、カーテンウォール１０の下側に配置されている。第１枠体２１と第２枠体４１の両方が、ファスナー６０に連結されて、ファスナー６０により下側から支持される。枠体２１、４１、カーテンウォールユニット１、２、及び、カーテンウォール１０は、第２カーテンウォールユニット２の下側で、ファスナー６０により、躯体１６に連結される。
【００２７】
図５は、本実施形態のカーテンウォール１０のファスナー６０を示す図であり、ファスナー６０と建物１１の躯体１６を示している。図５Ａは、図３と同様に、ファスナー６０を左右方向からみた側面図である。図５Ｂは、図５Ａの矢印Ｘ３方向からみたファスナー６０の平面図である。図５Ｃは、図５Ａの矢印Ｘ４方向からみたファスナー６０の正面図である。
【００２８】
図示のように、建物１１の躯体１６には、保持部材７０と固定部材７１が設けられており、２つの固定部材７１が保持部材７０に取り付けられている。固定部材７１は、ファスナー６０の固定用の固定手段であり、保持部材７０に装着されたボルト７２と、ボルト７２に取り付けられたナット７３からなる。保持部材７０及び固定部材７１は、躯体１６の室内側の壁部に設けられており、躯体１６の室内側に面する室内側面１６Ａに位置する。
【００２９】
ファスナー６０は、上側からみてＬ字形状（図５Ｂ参照）に形成されており、躯体１６から室内側に向かって突出している。また、ファスナー６０は、躯体１６に固定される板状の固定部６１と、固定部６１に形成された固定孔６２と、第１枠体２１の第１ブラケット３０が取り付けられる取付部６３と、取付部６３に形成された長孔６４を有している。固定部６１は、保持部材７０に接触した状態で、躯体１６に沿って配置されている。固定孔６２は、上下方向に細長い孔（長孔）であり、２つの固定孔６２が、左右方向に離隔して固定部６１に形成されている。
【００３０】
２つのボルト７２は、それぞれ固定孔６２内に配置されており、固定部６１から室内側に突出している。ナット７３が２つのボルト７２に取り付けられて、固定部材７１により、固定部６１及びファスナー６０が保持部材７０に固定されている。固定部材７１により、ファスナー６０は、保持部材７０に保持されるとともに、建物１１の躯体１６の室内側面１６Ａに固定されている。取付部６３は、躯体１６及び固定部６１から室内側に突出する板状の突出部であり、室内外方向に沿って配置されている。長孔６４は、所定方向に細長い孔であり、２つの長孔６４が、上下方向に離隔して取付部６３に形成されている。第１枠体２１の第１ブラケット３０は、取付孔である長孔６４を用いて、ファスナー６０の取付部６３に取り付けられる。
【００３１】
図６は、本実施形態のカーテンウォール１０の第１ブラケット３０を示す図であり、第１ブラケット３０と第１カーテンウォールユニット１の一部を示している。図６Ａは、図３と同様に、第１ブラケット３０を左右方向（下枠２５の長手方向）からみた側面図である。図６Ｂは、図６Ａの矢印Ｘ５方向からみた第１ブラケット３０の平面図である。図６Ｃは、図６Ａの矢印Ｘ６方向からみた第１ブラケット３０の正面図である。
【００３２】
図示のように、第１枠体２１（ここでは、第１枠体２１の下枠２５）には、２つの固定部材７４が取り付けられる。固定部材７４は、第１ブラケット３０の固定用の固定手段であり、第１枠体２１に装着されたボルト７５と、ボルト７５に取り付けられたナット７６からなる。固定部材７４は、第１枠体２１の下枠２５の室内側部２５Ａに取り付けられて、第１枠体２１から室内側に突出する。
【００３３】
第１ブラケット３０は、上側からみてＬ字形状（図６Ｂ参照）に形成されており、第１枠体２１（下枠２５）から室内側と下側に向かって突出している。また、第１ブラケット３０は、第１枠体２１に固定される板状の固定部３１と、固定部３１に形成された固定孔３２と、室内外方向に沿って突出する突出部３３と、突出部３３に形成された複数の孔３４〜３６（長孔３４、取付孔３５Ａ、３５Ｂ、連結孔３６）を有している。固定部３１は、第１枠体２１に接触した状態で、第１枠体２１に沿って配置されている。
【００３４】
固定孔３２は、上下方向に細長い孔（長孔）であり、２つの固定孔３２が、左右方向に離隔して固定部３１に形成されている。２つのボルト７５は、それぞれ固定孔３２内に配置されており、固定部３１から室内側に突出している。ナット７６が２つのボルト７５に取り付けられて、固定部材７４により、固定部３１及び第１ブラケット３０が第１枠体２１に固定されている。これにより、第１ブラケット３０は、第１枠体２１の下部である下枠２５（ここでは、下枠２５の室内側部２５Ａ）に固定される。
【００３５】
突出部３３は、ファスナー６０に取り付けられる板状の取付部であり、第１枠体２１及び固定部３１から室内側に突出して、室内外方向に沿って配置されている。長孔３４は、所定方向に細長い孔であり、２つの長孔３４が、上下方向に離隔して突出部３３に形成されている。第１ブラケット３０の突出部３３は、取付孔である長孔３４を用いて、ファスナー６０の取付部６３に取り付けられる。
【００３６】
取付孔３５Ａ、３５Ｂと連結孔３６は、長孔３４よりも上側に位置する円形孔であり、複数（ここでは、４つ）の取付孔３５Ａ、３５Ｂと１つの連結孔３６が、突出部３３の上側部３３Ａに形成されている。連結孔３６は、突出部３３の室内外方向の中間部に形成されており、連結孔３６の直径は、取付孔３５Ａ、３５Ｂの直径よりも大きい。２つの取付孔３５Ａは、連結孔３６よりも室外側の位置で上下方向に離隔して形成された室外側取付孔であり、２つの取付孔３５Ｂは、連結孔３６よりも室内側の位置で上下方向に離隔して形成された室内側取付孔である。第２枠体４１の第２ブラケット５０は、取付孔３５Ａ、３５Ｂを用いて、第１ブラケット３０の突出部３３に取り付けられる。
【００３７】
図７は、本実施形態のカーテンウォール１０の第２ブラケット５０を示す図であり、第２ブラケット５０と第２カーテンウォールユニット２の一部を示している。図７Ａは、図３と同様に、第２ブラケット５０を左右方向（下枠４５の長手方向）からみた側面図である。図７Ｂは、図７Ａの矢印Ｘ７方向からみた第２ブラケット５０の平面図である。図７Ｃは、図７Ａの矢印Ｘ８方向からみた第２ブラケット５０の正面図である。
【００３８】
図示のように、第２ブラケット５０は、室内外方向からみてＬ字形状（図７Ｃ参照）に形成されており、第２枠体４１（ここでは、第２枠体４１の下枠４５）から下側に向かって突出している。また、第２ブラケット５０は、第２枠体４１に固定される板状の固定部５１と、固定部５１に形成された２つの固定孔５２と、下側に向かって突出する突出部５３と、突出部５３に形成された取付孔５４Ａ、５４Ｂを有している。固定部５１は、第２枠体４１に接触した状態で、第２枠体４１に沿って配置されている。固定孔５２は、円形孔であり、２つの固定孔５２が、室内外方向に離隔して固定部５１に形成されている。
【００３９】
２つのビス５５は、第２ブラケット５０の固定用の固定部材（固定手段）であり、それぞれ固定孔５２に挿入されて、第２枠体４１の下枠４５に取り付けられる。ビス５５により、固定部５１及び第２ブラケット５０は、第２枠体４１に固定されている。これにより、第２ブラケット５０は、第２枠体４１の下部である下枠４５（ここでは、下枠４５の下面部）に固定される。
【００４０】
突出部５３は、第１ブラケット３０に取り付けられる板状の取付部であり、第２枠体４１及び固定部５１から下側に突出して、室内外方向に沿って配置されている。取付孔５４Ａ、５４Ｂは、円形孔であり、複数（ここでは、４つ）の取付孔５４Ａ、５４Ｂが、第１ブラケット３０の取付孔３５Ａ、３５Ｂ（図６Ａ参照）の位置に対応して突出部５３に形成されている。２つの取付孔５４Ａは、上下方向に離隔して形成された室外側取付孔であり、２つの取付孔５４Ｂは、上下方向に離隔して形成された室内側取付孔である。第２ブラケット５０の突出部５３は、取付孔５４Ａ、５４Ｂを用いて、第１ブラケット３０の突出部３３に取り付けられる。
【００４１】
図８は、本実施形態のカーテンウォール１０と躯体１６の連結部分３を示す図であり、図５に示すファスナー６０、図６に示す第１ブラケット３０、及び、図７に示す第２ブラケット５０を連結した状態を示している。図８Ａは、図３と同様に、連結部分３を左右方向からみた側面図である。図８Ｂは、図８Ａの矢印Ｘ９方向からみた連結部分３の平面図である。図８Ｃは、図８Ａの矢印Ｘ１０方向からみた連結部分３の正面図である。
図示のように、カーテンウォール１０を建物１１の躯体１６に連結するときには、第１カーテンウォールユニット１の第１枠体２１と第２カーテンウォールユニット２の第２枠体４１を順に躯体１６のファスナー６０に連結する。
【００４２】
第２枠体４１の連結前に、取付部材３７により、第１枠体２１の第１ブラケット３０（図６参照）をファスナー６０（図５参照）に取り付ける。その際、ファスナー６０の室内外方向に沿う取付部６３に第１ブラケット３０の突出部３３を取り付ける。第１ブラケット３０の突出部３３は、ファスナー６０の取付部６３に沿って配置されて、取付部６３に接触する。その状態で、取付部６３の長孔６４の一部と突出部３３の長孔３４の一部は、互いに重なるように、位置を合わせて配置される。また、ファスナー６０は、第１ブラケット３０に対して左右方向の一方側に位置し、第１ブラケット３０の突出部３３は、ファスナー６０の取付部６３に対して左右方向の他方側に位置する。
【００４３】
取付部材３７は、第１ブラケット３０の取り付け用の取付手段であり、長孔３４、６４の重なる部分を貫通するボルト３８と、ボルト３８に取り付けられたナット３９からなる。ファスナー６０の長孔６４と第１ブラケット３０の長孔３４を貫通する取付部材３７により、第１ブラケット３０は、ファスナー６０に取り付けられる。また、上下方向に離隔する２つの取付部材３７により、第１ブラケット３０の突出部３３がファスナー６０の取付部６３に取り付けられる。第１枠体２１及び第１カーテンウォールユニット１は、連結部材である第１ブラケット３０により、ファスナー６０に連結されて、第１ブラケット３０を介して、ファスナー６０により支持される。
【００４４】
第１ブラケット３０、第２ブラケット５０、及び、ファスナー６０は、第２枠体４１の下側に配置される（図８Ａ参照）。第２枠体４１の下側で、取付部材５６により、第２枠体４１の第２ブラケット５０（図７参照）を第１枠体２１の第１ブラケット３０（図６参照）に取り付ける。その際、ファスナー６０の上側で、第２ブラケット５０は、第１ブラケット３０に接触した状態で、第１ブラケット３０に沿って配置されて、第１ブラケット３０の突出部３３に取り付けられる。第２ブラケット５０は、第１ブラケット３０を介して、ファスナー６０に連結される。
【００４５】
第２ブラケット５０の突出部５３は、第１ブラケット３０の突出部３３に沿って配置されて、突出部３３に接触する。その状態で、突出部３３の取付孔３５Ａ、３５Ｂと突出部５３の取付孔５４Ａ、５４Ｂは、互いに重なるように、位置を合わせて配置される。また、第２ブラケット５０は、第１ブラケット３０に対して左右方向の一方側（ファスナー６０側）に位置し、第１ブラケット３０の突出部３３は、第２ブラケット５０の突出部５３に対して左右方向の他方側に位置する。取付部材５６は、第２ブラケット５０の取り付け用の取付手段であり、互いに重なる取付孔３５Ａ、３５Ｂ、５４Ａ、５４Ｂに挿入された状態で、突出部３３、５３に取り付けられる。
【００４６】
ビスである取付部材５６により、第２ブラケット５０は、ファスナー６０に取り付けられた第１ブラケット３０に取り付けられる。また、４つの取付部材５６により、第２ブラケット５０の突出部５３が第１ブラケット３０の突出部３３に取り付けられる。第２ブラケット５０は、第１ブラケット３０の突出部３３の上側部３３Ａ（図８Ａ参照）に接触して、突出部３３の上側部３３Ａに取り付けられる。突出部３３の上側部３３Ａは、第１ブラケット３０をファスナー６０に取り付けた状態で、突出部３３のファスナー６０よりも上側に位置する部分である。
【００４７】
第２ブラケット５０は、連結部材であり、第１ブラケット３０を介して、第２枠体４１及び第２カーテンウォールユニット２をファスナー６０に連結する。第２枠体４１及び第２カーテンウォールユニット２は、第２ブラケット５０及び第１ブラケット３０を介して、ファスナー６０により支持される。また、カーテンウォール１０は、第１ブラケット３０、第２ブラケット５０、及び、ファスナー６０により、建物１１の躯体１６に連結されており、第１ブラケット３０及び第２ブラケット５０を介して、ファスナー６０により支持される。
【００４８】
図９は、本実施形態のカーテンウォール１０と躯体１６の連結部分３を示す図であり、第２ブラケット５０を第１ブラケット３０に取り付ける前の連結部分３を示している。図９Ａは、図８Ａと同様に、連結部分３を左右方向からみた側面図であり、図９Ｂは、図９Ａの矢印Ｘ１１方向からみた連結部分３の正面図である。図１０は、本実施形態の第１ブラケット３０の位置を調整する調整治具８０を示す図である。図１０Ａは、調整治具８０の正面図であり、図１０Ｂは、図１０Ａの矢印Ｘ１２方向からみた調整治具８０の側面図である。
【００４９】
図示のように、第２ブラケット５０を第１ブラケット３０に取り付ける前に、ファスナー６０に取り付けられる第１ブラケット３０の位置（取付位置）を調整して、第１カーテンウォールユニット１の位置を調整する。位置の調整時には、第１ブラケット３０を上下方向と室内外方向に移動できるように、取付部材３７による第１ブラケット３０とファスナー６０の締め付けを緩めておく。その状態で、長孔３４、６４、及び、着脱可能な調整治具８０を用いて、第１ブラケット３０の位置を調整する。
【００５０】
ファスナー６０に形成された長孔６４（図５Ａ参照）と第１ブラケット３０に形成された長孔３４（図６Ａ参照）は、ファスナー６０に対する第１ブラケット３０の位置を調整する調整孔である。第１ブラケット３０の長孔３４は、ファスナー６０の長孔６４の延びる方向に交差する方向に延び、ファスナー６０の長孔６４と交差して配置される。第１ブラケット３０の長孔３４は、上下方向と室内外方向の一方（ここでは、室内外方向）に細長い孔であり、ファスナー６０の長孔６４は、上下方向と室内外方向の他方（ここでは、上下方向）に細長い孔である。
【００５１】
第１ブラケット３０の長孔３４は、ファスナー６０の長孔６４に交差（ここでは、直交）するように、ファスナー６０の長孔６４に部分的に重ねて配置される。２つの長孔３４、６４のそれぞれの内部における取付部材３７の位置を変更しつつ、２つの長孔３４、６４の重なる部分を変更する。同時に、ファスナー６０に対する第１ブラケット３０の位置（取付位置）が、２つの長孔３４、６４のそれぞれに沿って変更される。第１ブラケット３０の位置の変更に伴い、第１ブラケット３０及び第１枠体２１は、ファスナー６０に対して、２つの長孔３４、６４の延びる方向（室内外方向、上下方向）に移動する。これにより、第１ブラケット３０及び第１枠体２１の室内外方向と上下方向の位置が調整される。
【００５２】
調整治具８０は、ファスナー６０に対する第１ブラケット３０の位置（ここでは、上下方向の位置）を調整する調整手段である。調整治具８０は、第１ブラケット３０に装着される装着部８１と、第１ブラケット３０に連結される複数の連結部８２、８３（第１連結部８２、第２連結部８３）と、装着部８１及び連結部８２、８３を移動する移動機構８４を有している。装着部８１は、ブロック状のベース部であり、第１ブラケット３０のファスナー６０側の部分に装着される。連結部８２、８３は、円柱状の連結ピンであり、装着部８１に固定されて、装着部８１から第１ブラケット３０に向かって突出する。複数（ここでは、２つ）の第１連結部８２と１つの第２連結部８３が、互いに平行に設けられている。第２連結部８３の直径は、第１連結部８２の直径よりも大きい。
【００５３】
調整治具８０を第１ブラケット３０に連結したときに、第１連結部８２は、第２連結部８３及び移動機構８４よりも室内外方向の一方側（ここでは、室外側）に位置し、第２連結部８３は、第１連結部８２及び移動機構８４よりも室内外方向の他方側（ここでは、室内側）に位置する。従って、第１連結部８２は、室外側連結部であり、第２連結部８３は、室内側連結部である。２つの第１連結部８２は、上下方向に離間して設けられている。
【００５４】
移動機構８４は、装着部８１のネジ孔にねじ込まれたボルトであり、装着部８１を貫通して、上下方向に沿って配置される。装着部８１及び連結部８２、８３を移動機構８４により移動するときには、移動機構８４（ボルト）を回転して、ネジの作用で、移動機構８４に対する装着部８１及び連結部８２、８３の位置を変化させる。これにより、装着部８１及び連結部８２、８３は、移動機構８４に沿って移動する。移動機構８４により、装着部８１及び連結部８２、８３は、第１ブラケット３０と一体に上下方向に移動する。
【００５５】
第１ブラケット３０は、第２ブラケット５０が取り付けられる取付孔３５Ａ、３５Ｂを有している。複数の取付孔３５Ａ、３５Ｂのうち、室外側に位置する２つの取付孔３５Ａは、調整治具８０が連結される連結孔であり、調整治具８０の連結と第２ブラケット５０の取り付けとに兼用される。調整治具８０の２つの第１連結部８２は、それぞれ第１ブラケット３０の取付孔３５Ａに挿入されて、取付孔３５Ａ及び第１ブラケット３０に連結される。同時に、調整治具８０の第２連結部８３は、第１ブラケット３０の連結孔３６に挿入されて、連結孔３６及び第１ブラケット３０に連結される。
【００５６】
第２ブラケット５０が取付孔３５Ａ、３５Ｂに取り付けられていない状態で、調整治具８０は、連結部８２、８３により、第１ブラケット３０の取付孔３５Ａ及び連結孔３６に連結される。これにより、調整治具８０は、第１ブラケット３０に着脱可能に連結されて、第１ブラケット３０により支持される。また、装着部８１は、第１ブラケット３０に装着される。装着部８１は、突出部３３の上側部３３Ａに装着され、調整治具８０は、突出部３３の上側部３３Ａに連結される。調整治具８０は、ファスナー６０の取付部６３よりも上側の位置に配置されて、上下方向において取付部６３と対向する。
【００５７】
続いて、調整治具８０により、ファスナー６０に対する第１ブラケット３０の位置を調整する。具体的には、移動機構８４を回転して、移動機構８４の端部をファスナー６０の取付部６３に当接する。その状態で、移動機構８４により、装着部８１及び連結部８２、８３を上下方向に移動して、第１ブラケット３０及び第１枠体２１を上下方向に移動する。このように、調整治具８０により、第１ブラケット３０及び第１枠体２１の上下方向の位置を調整する。また、第１ブラケット３０及び第１枠体２１を室内外方向に移動して、第１ブラケット３０及び第１枠体２１の室内外方向の位置を調整する。
【００５８】
位置の調整後に、取付部材３７により第１ブラケット３０とファスナー６０を締め付けて、取付部材３７により、第１ブラケット３０をファスナー６０に取り付ける。続いて、取付孔３５Ａ、連結孔３６、及び第１ブラケット３０から調整治具８０を取り外す。その状態で、取付部材５６により（図８参照）、第２ブラケット５０を第１ブラケット３０の取付孔３５Ａ、３５Ｂ及び第１ブラケット３０に取り付ける。
【００５９】
以上説明したように、本実施形態のカーテンウォール１０では、ファスナー６０を室外側と室内側の枠体２１、４１で共用でき、カーテンウォール１０と躯体１６の連結部分３の構造を簡単にすることができる。ファスナー６０を躯体１６の室内側面１６Ａに固定することで、室内外方向に張り出す躯体１６の室内側面１６Ａにカーテンウォール１０が連結される納まり等、カーテンウォール１０が躯体１６の室内側面１６Ａに連結される特殊な納まりに対応することができる。
【００６０】
調整治具８０を第１ブラケット３０の取付孔３５Ａに連結しており、調整治具８０の連結と第２ブラケット５０の取り付けとに取付孔３５Ａを兼用することができる。そのため、第１ブラケット３０に形成する孔の数を削減して、第１ブラケット３０の加工を簡単にすることができる。着脱可能な調整治具８０を第１ブラケット３０から取り外して、調整治具８０を複数の第１ブラケット３０の位置の調整に用いることができる。
【００６１】
第１ブラケット３０の突出部３３をファスナー６０の室内外方向に沿う取付部６３に取り付け、第２ブラケット５０を突出部３３に取り付ける。このようにすることで、第１ブラケット３０のファスナー６０への取付作業、及び、第２ブラケット５０の第１ブラケット３０への取付作業を簡単に行うことができる。第２枠体４１の下側で、第２ブラケット５０を第１ブラケット３０に取り付けることで、第２ブラケット５０を第１ブラケット３０に容易に取り付けることができる。第１ブラケット３０の長孔３４とファスナー６０の長孔６４とを交差して配置しており、長孔３４、６４内における取付部材３７の位置を変更することで、第１ブラケット３０の位置を容易に調整することができる。
【００６２】
なお、本実施形態では、室内外方向の一方側が室外側であり、室内外方向の他方側が室内側である。これに対し、室内外方向の一方側が室内側であり、室内外方向の他方側が室外側であってもよい。この場合には、第１枠体２１が室内側に配置され、第２枠体４１が室外側に配置される。また、ファスナー６０を固定する躯体１６の位置又は形状等に対応して、ファスナー６０の位置又は形状等を変更してもよい。例えば、ファスナー６０を室外側に向かって突出するようにしてもよく、ファスナー６０を上側に向かって突出するようにしてもよい。本発明は、カーテンウォールの下側以外の箇所（例えば、上側）におけるカーテンウォールと躯体の連結部分に適用することもできる。
【００６３】
以上のとおり、カーテンウォールは、室内外方向の一方側に配置された第１枠体と、室内外方向の他方側に配置された第２枠体と、を備えたカーテンウォールであって、
前記第１枠体は、建物の躯体に固定されたファスナーに取り付けられる第１ブラケットを有し、
前記第２枠体は、前記第１ブラケットに取り付けられる第２ブラケットを有するカーテンウォールである。
このカーテンウォールによれば、建物の躯体に固定されたファスナーを室外側の枠体と室内側の枠体とで共用でき、カーテンウォールと躯体の連結部分の構造を簡単にすることができる。
【００６４】
前記ファスナーは、前記建物の躯体の室内側面に固定される。
従って、カーテンウォールが躯体の室内側面に連結される特殊な納まりに対応することができる。
【００６５】
前記第１ブラケットは、室内外方向に沿って突出して前記ファスナーの室内外方向に沿う取付部に取り付けられる突出部を有し、
前記第２ブラケットは、前記突出部に取り付けられる。
従って、第１ブラケットのファスナーへの取付作業、及び、第２ブラケットの第１ブラケットへの取付作業を簡単に行うことができる。
【００６６】
前記第１ブラケットは、前記第２枠体の下側に配置され、
前記第２ブラケットは、前記第２枠体の下側で前記第１ブラケットに取り付けられる。
従って、第２ブラケットを第１ブラケットに容易に取り付けることができる。
【００６７】
前記第１ブラケットは、前記ファスナーに形成された長孔と交差して配置された長孔を有し、前記ファスナーの長孔と前記第１ブラケットの長孔を貫通する取付部材により、前記ファスナーに取り付けられる。
従って、互いに交差して配置される長孔内における取付部材の位置を変更することで、第１ブラケットの位置を容易に調整することができる。
【００６８】
カーテンウォールの施工方法は、室内外方向の一方側に配置された第１枠体と、室内外方向の他方側に配置された第２枠体と、を備えたカーテンウォールの施工方法であって、
建物の躯体に固定されたファスナーに前記第１枠体の第１ブラケットを取り付け、
前記第１ブラケットの取付孔に連結した調整治具により、前記ファスナーに対する前記第１ブラケットの位置を調整し、
前記第１ブラケットの取付孔から前記調整治具を取り外して、前記第１ブラケットの取付孔に前記第２枠体の第２ブラケットを取り付けるカーテンウォールの施工方法である。
このカーテンウォールの施工方法によれば、建物の躯体に固定されたファスナーを室外側の枠体と室内側の枠体とで共用でき、カーテンウォールと躯体の連結部分の構造を簡単にすることができる。また、調整治具の連結と第２ブラケットの取り付けとに第１ブラケットの取付孔を兼用することができる。
【符号の説明】
【００６９】
１・・・第１カーテンウォールユニット、２・・・第２カーテンウォールユニット、３・・・連結部分、１０・・・カーテンウォール、１１・・・建物、１２・・・壁部、１３・・・壁材、１４・・・開口部、１５・・・躯体、１６・・・躯体、１７・・・ファスナー、１８・・・ファスナー、１９・・・空間、２０・・・第１パネル体、２１・・・第１枠体、２２・・・ブラケット、２３・・・開口部、２４・・・上枠、２５・・・下枠、２６・・・縦枠、３０・・・第１ブラケット、３１・・・固定部、３２・・・固定孔、３３・・・突出部、３４・・・長孔、３５Ａ・・・取付孔、３５Ｂ・・・取付孔、３６・・・連結孔、３７・・・取付部材、３８・・・ボルト、３９・・・ナット、４０・・・第２パネル体、４１・・・第２枠体、４２・・・ブラケット、４３・・・開口部、４４・・・上枠、４５・・・下枠、４６・・・縦枠、５０・・・第２ブラケット、５１・・・固定部、５２・・・固定孔、５３・・・突出部、５４Ａ・・・取付孔、５４Ｂ・・・取付孔、５５・・・ビス、５６・・・取付部材、６０・・・ファスナー、６１・・・固定部、６２・・・固定孔、６３・・・取付部、６４・・・長孔、７０・・・保持部材、７１・・・固定部材、７２・・・ボルト、７３・・・ナット、７４・・・固定部材、７５・・・ボルト、７６・・・ナット、８０・・・調整治具、８１・・・装着部、８２・・・第１連結部、８３・・・第２連結部、８４・・・移動機構。
【図１】
2020111991.tif 000003
【図２】
2020111991.tif 000004
【図３】
2020111991.tif 000005
【図４】
2020111991.tif 000006
【図５】
2020111991.tif 000007
【図６】
2020111991.tif 000008
【図７】
2020111991.tif 000009
【図８】
2020111991.tif 000010
【図９】
2020111991.tif 000011
【図１０】
2020111991.tif 000012